(57)【要約】      （修正有）【課題】幼児が引き出し又は開き戸を持ち、取手或いは隙間のある家具を簡単に開けて内容物を取り出し、事故、迷惑を起こすことがある。これを防ぐために、簡単に家具の開け閉めができず、しかし容易に開けることが可能な家具を提供する。【解決手段】引き出し、開き戸を持つ箱型家具において、引き出しの前板、又は／及び開き戸の扉に取手部を全く取り付けていなく、両側板、天板、底板の家具骨格構造枠体内に嵌まり込む状態になって、家具前面から突出する部分、及び２ｍｍ以上の隙間部分を持たず、引き出し、開き戸の表面には、表装材を貼ったスチール箔を含んでいる化粧板を設ける。また、化粧板を張り付けた側板の一部に、引き出し、開き戸を持つ箱型家具を必要に応じて開けるための磁性体を取り付けた用具１０を吸着させている。【選択図】図２
0003212294.tif 000002
【実用新案登録請求の範囲】
【請求項１】
引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面には、表装材を貼ったスチール箔を含んでいる化粧板を使用していることを特徴とする簡単に開かない家具。
【請求項２】
引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、表面と側面と合わせた面積で３０〜１００％の面積にボンド磁性シートを付着できる装飾性表装材を張り付けて、前記化粧板を張り付けた側板の一部に、引き出、開き戸を持つ箱型家具を開けることができる磁性体を取り付けた用具を吸着させていることを特徴とする請求項１に記載の簡単に開かない家具。
【請求項３】
磁性シートを付着できる装飾性表装材である化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる化粧板を使用していることを特徴とする請求項１、又は請求項２に記載の磁性シート付着化粧板を使用した家具。
【請求項４】
箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものであることを特徴とする請求項１〜請求項３のいずれかに記載の磁性シート付着化粧板を使用した家具。
【請求項５】
家具の側面に引き出、開に戸を持つ箱型家具を開ける磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけていることを特徴とする請求項１〜請求項４のいずれかに記載の磁性シート付着化粧板を使用した家具。
【考案の詳細な説明】
【技術分野】
【０００１】本考案は、引き出し、開き戸を持つ箱型家具において、簡単に開かないように引き出しの前板、又は／及び前記開き戸の扉が、取手部を持たず、家具骨格構造内に嵌まり込んで、隙間もなくした家具で、その引き出し、開き戸の表面に、表装材を貼ったスチール箔を含んでいる化粧板を使用している簡単に開かない家具に関するものである。
【背景技術】
【０００２】使用目的や部屋の空間に適宜適応させ、形状を変化して配置することを可能とした組合せ家具を供することを目的して、Ｌ字状で内部を３箇と１箇のブロック空間に形成したユニット体の１対と、ブロック空間内に収納される引出し箱とからなる組合せ家具であり、ブロック空間内にＨ状の仕切り枠を挿入可能となし、該Ｈ状仕切り枠の上段や下段には夫々れ小型引出し箱が入れられるようにすることが出来る構成家具が提案されている（特許文献１参照）。【０００４】家具正面に取り付けるもので、幼い子でも回転して開放させることができるため、防止効果は薄いと思われる。引出しロックパーツを引き出し１つ１つに設けなければならず、固定に手間が掛かり、同時に開放にも手間が掛かるものである。従来の構成が有していた問題を解決しようとするもので、押え部を押えることで、すべての引出しの固定と開放を簡単・容易に行うことのできる家具引出し用開き防止具を提供する（特許文献２参照）。【０００５】家具の引き出しの開放などを防ぐために、簡単な構造でバネによる付勢力の低下を招くことなく、バネの不用意な離脱を防止することができるチェストの引出ロック構造が提供されている（特許文献３参照）。【０００６】開き戸を持つ箱型家具において、簡単に開かないように引き出しの前板、又は／及び前記開き戸の扉が、取手部を持たず、家具骨格構造内に嵌まり込んで、隙間もなくした家具で、その引き出し、開き戸の表面に、表装材を貼ったスチール箔を含んでいる化粧板を使用している簡単に開かない家具は存在してない。
【先行技術文献】
【特許文献】
【０００７】
【特許文献１】実用新案登録第３００８７１７号号公報
【特許文献３】特開２０１３−４６７２４号公報
【特許文献４】実用新案登録第３１１８４７７号公報
【考案の概要】
【考案が解決しようとする課題】
【０００８】家具の引き出し、開き戸における取手などは、家具正面に取り付けるもので、幼い子でも容易に開放させることができるため、簡単に開放防止効果は薄いと思われる。引き出しなどにロック機能を引き出し１つ１つに設けなければならず、固定に手間が掛かり、同時に開放にも手間が掛かるものである。簡単に家具の引き出し、及び開き戸が容易に開けることができず、簡単な工夫によって容易に開放出来れば、非常に便利である。このような従来の構成が有していた問題を解決しようとするもので、すべての引出しの固定と開放が簡単・容易にできず、マグネットの助力によって行うことのできる引き出し、開き戸を開くことできる家具を提供することを目的とする。【０００９】顧客が家具を購入する塲合には，家具には、デザインとして、機能として、隙間、或いは取手が取り付けられている。これら家具の引き出し、開き戸にロックしないと簡単に開放される。しかし取手がなく、引き出しの間、或いは開き戸の扉間に隙間がないと容易に開くことは不可能である。特に幼児、或いは防犯対策として、開かない家具は期待されている。家具の表面、側面のスチール箔を含む化粧板を使用すると、マグネットによって吸着して、取手の役目を果たすものである。通常は近くに場所に置いて、必要な時にマグネットによって取っ手の役目を行うようにすれば、また前記化粧板においては、マグネットが吸着するとは知らずに、ロックがかかっていると思われる家具である。【００１０】引き出し、開き戸を持つ箱型家具において、家具の表面に磁気吸着力を持つ表面体内に２５〜２００μｍの厚さのスチール箔を含んでいる化粧板を使用していると、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせることができる。設置した家具に自身の記憶に頼って想像したイメージの絵柄を貼り合わせながら家具の模様を選択することもできる。好みのデザイン写真、模様を貼ることによって，上記環境と調和のとれた家具を設置することを期待されている。【００１０】そこで，本考案は上記事情に鑑みてなされたものであり，その目的とするところは，しかし取手がなく、引き出しの間、或いは開き戸の扉間に隙間がないと容易に開くことは不可能である。特に幼児、或いは防犯対策として、開かない家具は期待されている。家具の表面、側面のスチール箔を含む化粧板を使用すると、マグネットによって吸着して、取手の役目を果たすものである。家具前面から突出する部分、及び２ｍｍ以上の隙間を持っていなく、さらに引き出し、開き戸の表面には、表装材を貼ったスチール箔を含んでいる化粧板を使用している家具を提供することを目的とする。
【課題を解決するための手段】
【００１１】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面には、表装材を貼ったスチール箔を含んでいる化粧板を使用している簡単に開かない家具である。【００１２】引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、表面と側面と合わせた面積で３０〜１００％の面積にボンド磁性シートを付着できる装飾性表装材を張り付けて、前記化粧板を張り付けた側板の一部に、引き出、開き戸を持つ箱型家具を開けることができる磁性体を取り付けた用具を吸着させている。【００１３】磁性シートを付着できる装飾性表装材である化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる化粧板を使用している。【００１４】箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものである。【００１５】家具の側面に引き出、開に戸を持つ箱型家具を開ける磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけている。
【考案の効果】
【００１６】デザイン、機能として家具には、特殊な取手が取り付けられ、更に特赦な形状の空間部、隙間部を作っており、ロックしておかないとこれら家具の引き出し、開き戸に簡単に開放される。しかし取手がなく、引き出しの間、或いは開き戸の扉間に隙間がないと容易に開くことはできない。開かない家具として家具の表面、側面に表装材とスチール箔を含む化粧板を使用して、家具の前面に取手をなくして、隙間部分を取り除いたものにすると、全く開放することができない。家具の表面はマグネットを吸着し、取手の役目を果たす。近くに場所に置いて、必要な時にマグネットによって取手の役目をされれば、開かない家具になって、マグネットによって簡単に開放できる家具になった。【００１７】表装材とスチール箔を含む化粧板を使用した家具の表面、側面等に、人物、自然、風景、アニメから選ばれた図柄、写真、及び計画表、或はメモ書表などボンド磁性シートを貼ることができて、家具を状況によって図柄、写真の模様替えした部屋にしても，満足感がえられて，結果的に上記部屋と自身の調和のとれない家具を設置することができた。
【図面の簡単な説明】
【００１７】
【図１】簡単に開かない家具の斜視図である。Ａ：チェスト  Ｂ：ロッカー
【図２】簡単に開かない家具の表面の状態図である。Ａ：チェスト  Ｂ：ロッカー
【図３】簡単に開かない家具に図柄付きプリント貼った図である。
【図４】簡単に開かない家具における引き出し部を詳細に示した斜視図である。
【図５】簡単に開かない家具に開放用マグネット用具を取り付けた状態の斜視図である。
【考案を実施するための形態】
【００１８】以下、本考案の実施形態について、図面を参照して説明する。
図１は磁性シート付着化粧板を使用した洋服箪笥の斜視図である。図２は磁性シート付着化粧板の図である。図３は磁性シート付着化粧板に吸着させる図柄付き樹脂フイルムの図である。図４は磁性シート付着化粧板を使用した家具を配置した室内斜視図である。図５は磁性シート付着化粧板を使用したチェストの概略斜視図である。
【実施例１】
【００１９】図１Ａに示すように、引き出しを持つチェスト箱型家具において、前記引き出しの前板に、取手部を全く取り付けていなく、両側板、天板、底板の家具骨格構造体内に、嵌まり込む状態になって、家具前面から突出する部分、及び１ｍｍ程度の隙間を持っていなく、さらに引き出しと側面の一部の表面には、表装材を貼ったスチール箔を含んだ化粧板を使用した。【００２０】引き出しを持つチェストが備える引き出しの前板で、家具の隙間に、手の指を又は器具を差し込むことができない家具の表面状態になっているチェストであって、表面と側面と合わせた面積で約６０％の面積（前面と側面の一部）にボンド磁性シートを付着できるスチール箔を含む装飾性表装である化粧板を張り付けて、前記化粧板を張り付けた側板の一部に、引き出しを持つ箱型家具を開けるボンド磁性体を取り付けている用具を吸着させておいた。【００２１】ボンド磁性シートを付着できるスチール箔を含む装飾性表装材である化粧板は、表装材の表面には、０・１ｍｍの生地色から濃厚色、又は自然素材の木質の質感をもつ模様を施した紙体を貼って、磁気吸着力を持つ表面体内に５０μｍの厚さのスチール箔を含んでいる化粧板を使用した。【００２２】チェストにおける引き出しは、出し入れの駆動にローラー付きスライドレールを使用して、一個の引き出しの重量１０ｋｇ以内でのものであった。【００２３】家具の側面に引き出、開に戸を持つ箱型家具を開けるマグネットボンドを取り付けている用具は、１ｍｍの厚さの風景を写真をプリントした横５００、縦７００ｍｍのボンド磁性シートを貼りつけた。図４、図５のようにして使用した。
【実施例２】
【００２４】図１Ｂに示すように、開き戸を持つ箱型家具において、前記開き戸の扉が、前板、及び扉には取手部を全く取り付けていなく、両側板、天板、底板の家具骨格構造内に嵌まり込む状態になって、家具前面から突出する部分、及び２ｍｍ以下の隙間で、開き戸の表面には、表装材を貼ったスチール箔を含んでいる化粧板を使用した。【００２５】開き戸を持つ箱型家具が備える扉や引き出しの前板で、手の指を家具の隙間、又は器具に差し込むことができない家具の表面状態になっているロッカーであって、表面と側面と合わせた面積で５０％にボンド磁性シートを付着できる装飾性表装材を張り付けて、前記化粧板を張り付けた側板の一部に、引き出、開に戸を持つ箱型家具を開けるボンド磁性体を取り付けている用具を吸着させておいた。【００２６】ボンド磁性シートを付着できるスチール箔を含んだ装飾性表装材である化粧板は、表装材の表面には、０・１ｍｍの自然素材の木質の質感をもつ模様を施した樹脂フイルムを貼って、磁気吸着力を持つ表面体内に５０μｍの厚さのスチール箔を含んでいる化粧板を使用した。【００２７】引き出しと開き戸を持つロッカーの箱型家具において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものであった。【００２８】家具の側面に引き出、開に戸を持つ箱型家具を開けるマグネットボンドを取り付けている用具は、２ｍｍの厚さの  残留磁束密度（Ｂｒ）＝２ｋＧ，  保磁力（Ｈｃ）＝２ｋＯｅ、の磁力を持つボンド磁性シートを貼りつけた。図３のようにロッカーを使用した。
【符号の説明】
【００２９】１、開かない家具
２、引き出し
３、開き戸
４．スチール箔を含む化粧板
５．隙間、
６、側板
７、天板
８、取手
９、ボンド磁性シート
１０、磁性体吸着用具
【図１】
0003212294.tif 000003
【図２】
0003212294.tif 000004
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面には、表装材を貼ったスチール箔を含んでいる化粧板を使用していることを特徴とする簡単に開かない家具。
【請求項２】
引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、表面と側面と合わせた面積で３０〜１００％の面積にボンド磁性シートを付着できる装飾性表装材を張り付けて、前記化粧板を張り付けた側板の一部に、引き出し、開き戸を持つ箱型家具を開けることができる磁性体を取り付けた用具を吸着させていることを特徴とする請求項１に記載の簡単に開かない家具。
【請求項３】
磁性シートを付着できる装飾性表装材である化粧板は、表装材の表面には、０．０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる化粧板を使用していることを特徴とする請求項１、又は請求項２に記載の簡単に開かない家具。
【請求項４】
箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものであることを特徴とする請求項１〜請求項３のいずれかに記載の簡単に開かない家具。
【請求項５】
家具の側面に引き出、開き戸を持つ箱型家具を開ける磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけていることを特徴とする請求項１〜請求項４のいずれかに記載の簡単に開かない家具。
【手続補正２】
【補正対象書類名】明細書
【補正対象項目名】全文
【補正方法】変更
【補正の内容】
【考案の詳細な説明】
【技術分野】
【０００１】本考案は、引き出し、開き戸を持つ箱型家具において、簡単に開かないように引き出しの前板、又は／及び前記開き戸の扉が、取手部を持たず、家具骨格構造内に嵌まり込んで、隙間もなくした家具で、その引き出し、開き戸の表面に、表装材を貼ったスチール箔を含んでいる化粧板を使用している簡単に開かない家具に関するものである。
【背景技術】
【０００２】使用目的や部屋の空間に適宜適応させ、形状を変化して配置することを可能とした組合せ家具を供することを目的して、Ｌ字状で内部を３箇と１箇のブロック空間に形成したユニット体の１対と、ブロック空間内に収納される引出し箱とからなる組合せ家具であり、ブロック空間内にＨ状の仕切り枠を挿入可能となし、該Ｈ状仕切り枠の上段や下段には夫々れ小型引出し箱が入れられるようにすることが出来る構成家具が提案されている（特許文献１参照）。【０００４】家具正面に取り付けるもので、幼い子でも回転して開放させることができるため、防止効果は薄いと思われる。引出しロックパーツを引き出し１つ１つに設けなければならず、固定に手間が掛かり、同時に開放にも手間が掛かるものである。従来の構成が有していた問題を解決しようとするもので、押え部を押えることで、すべての引出しの固定と開放を簡単・容易に行うことのできる家具引出し用開き防止具を提供する（特許文献２参照）。【０００５】家具の引き出しの開放などを防ぐために、簡単な構造でバネによる付勢力の低下を招くことなく、バネの不用意な離脱を防止することができるチェストの引出ロック構造が提供されている（特許文献３参照）。【０００６】開き戸を持つ箱型家具において、簡単に開かないように引き出しの前板、又は／及び前記開き戸の扉が、取手部を持たず、家具骨格構造内に嵌まり込んで、隙間もなくした家具で、その引き出し、開き戸の表面に、表装材を貼ったスチール箔を含んでいる化粧板を使用している簡単に開かない家具は存在してない。
【先行技術文献】
【特許文献】
【０００７】
【特許文献１】実用新案登録第３００８７１７号号公報
【特許文献３】特開２０１３−４６７２４号公報
【特許文献４】実用新案登録第３１１８４７７号公報
【考案の概要】
【考案が解決しようとする課題】
【０００８】家具の引き出し、開き戸における取手などは、家具正面に取り付けるもので、幼い子でも容易に開放させることができるため、簡単に開放防止効果は薄いと思われる。引き出しなどにロック機能を引き出し１つ１つに設けなければならず、固定に手間が掛かり、同時に開放にも手間が掛かるものである。簡単に家具の引き出し、及び開き戸が容易に開けることができず、簡単な工夫によって容易に開放出来れば、非常に便利である。このような従来の構成が有していた問題を解決しようとするもので、すべての引出しの固定と開放が簡単・容易にできず、マグネットの助力によって行うことのできる引き出し、開き戸を開くことできる家具を提供することを目的とする。【０００９】顧客が家具を購入する場合には，家具には、デザインとして、機能として、隙間、或いは取手が取り付けられている。これら家具の引き出し、開き戸にロックしないと簡単に開放される。しかし取手がなく、引き出しの間、或いは開き戸の扉間に隙間がないと容易に開くことは不可能である。特に幼児、或いは防犯対策として、開かない家具は期待されている。家具の表面、側面のスチール箔を含む化粧板を使用すると、マグネットによって吸着して、取手の役目を果たすものである。通常は近くに場所に置いて、必要な時にマグネットによって取っ手の役目を行うようにすれば、また前記化粧板においては、マグネットが吸着するとは知らずに、ロックがかかっていると思われる家具である。【００１０】引き出し、開き戸を持つ箱型家具において、家具の表面に磁気吸着力を持つ表面体内に２５〜２００μｍの厚さのスチール箔を含んでいる化粧板を使用していると、模様、写真のプリントされたボンド磁性シートを貼ることができて、その模様、写真のプリントの模様を種々変えと、家具を部屋内に設置する環境（具体的には自分の家の居間等の部屋）に実際に家具の模様若干変更して、簡単に家具の表面をモデルチェンジさせることができる。設置した家具に自身の記憶に頼って想像したイメージの絵柄を貼り合わせながら家具の模様を選択することもできる。好みのデザイン写真、模様を貼ることによって，上記環境と調和のとれた家具を設置することを期待されている。【００１０】そこで，本考案は上記事情に鑑みてなされたものであり，その目的とするところは，しかし取手がなく、引き出しの間、或いは開き戸の扉間に隙間がないと容易に開くことは不可能である。特に幼児、或いは防犯対策として、開かない家具は期待されている。家具の表面、側面のスチール箔を含む化粧板を使用すると、マグネットによって吸着して、取手の役目を果たすものである。家具前面から突出する部分、及び２ｍｍ以上の隙間を持っていなく、さらに引き出し、開き戸の表面には、表装材を貼ったスチール箔を含んでいる化粧板を使用している家具を提供することを目的とする。
【課題を解決するための手段】
【００１１】引き出し、開き戸を持つ箱型家具において、前記引き出しの前板、又は／及び前記開き戸の扉が、前板、及び扉には取手部を全く取り付けていなく、両側板、天板、底板の家具骨格構造枠体内に嵌まり込む状態になって、家具前面から突出する部分、及び２ｍｍ以上の隙間部分を持たず、さらに引き出し、開き戸の表面には、表装材を貼ったスチール箔を含んでいる化粧板を使用している簡単に開かない家具である。【００１２】引き出し、開き戸を持つ箱型家具が備える扉や引き出しの前板で、手の指を家具の隙間、又は器具に差し込むことができない家具の同一表面状態になっているチェスト、箪笥、洋服箪笥、ロッカー、テレビボード台、収納箱であって、表面と側面と合わせた面積で３０〜１００％の面積にボンド磁性シートを付着できる装飾性表装材を張り付けて、前記化粧板を張り付けた側板の一部に、引き出、開き戸を持つ箱型家具を開けることができる磁性体を取り付けた用具を吸着させている。【００１３】磁性シートを付着できる装飾性表装材である化粧板は、表装材の表面には、０・０５〜１ｍｍの生地色から濃厚色、又は自然素材の木質の質感をもつ模様を施した紙体、又は突板、又は樹脂フイルムを貼って、磁気吸着力を持つ表面体内に２５〜２００μｍの厚さのスチール箔を含んでいる化粧板を使用している。【００１４】箱型家具における引き出し、開き戸において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものである。【００１５】家具の側面に引き出、開に戸を持つ箱型家具を開ける磁性体を取り付けている用具は、０．５〜２ｍｍの厚さの  残留磁束密度（Ｂｒ）＝２〜１０ｋＧ，  保磁力（Ｈｃ）＝２〜２０ｋＯｅ、最大エネルギ積（ＢＨｍａｘ）＝１〜２０ＭＧＯｅの磁力を持つボンド磁性シート、又は固体の磁性体を貼りつけている。
【考案の効果】
【００１６】デザイン、機能として家具には、特殊な取手が取り付けられ、更に特赦な形状の空間部、隙間部を作っており、ロックしておかないとこれら家具の引き出し、開き戸に簡単に開放される。しかし取手がなく、引き出しの間、或いは開き戸の扉間に隙間がないと容易に開くことはできない。開かない家具として家具の表面、側面に表装材とスチール箔を含む化粧板を使用して、家具の前面に取手をなくして、隙間部分を取り除いたものにすると、全く開放することができない。家具の表面はマグネットを吸着し、取手の役目を果たす。近くに場所に置いて、必要な時にマグネットによって取手の役目をされれば、開かない家具になって、マグネットによって簡単に開放できる家具になった。【００１７】表装材とスチール箔を含む化粧板を使用した家具の表面、側面等に、人物、自然、風景、アニメから選ばれた図柄、写真、及び計画表、或はメモ書表などボンド磁性シートを貼ることができて、家具を状況によって図柄、写真の模様替えした部屋にしても，満足感がえられて，結果的に上記部屋と自身の調和のとれない家具を設置することができた。
【図面の簡単な説明】
【００１８】
【図１】簡単に開かない家具の斜視図である。  Ａ：チェスト  Ｂ：ロッカー
【図２】簡単に開かない家具の表面の状態図である。  Ａ：チェスト  Ｂ：ロッカー
【考案を実施するための形態】
【００１９】以下、本考案の実施形態について、図面を参照して説明する。
図１は磁性シート付着化粧板を使用した洋服箪笥の斜視図である。図２は磁性シート付着化粧板の図である。図３は磁性シート付着化粧板に吸着させる図柄付き樹脂フイルムの図である。図４は磁性シート付着化粧板を使用した家具を配置した室内斜視図である。図５は磁性シート付着化粧板を使用したチェストの概略斜視図である。
【実施例１】
【００２０】図１Ａに示すように、引き出しを持つチェスト箱型家具において、前記引き出しの前板に、取手部を全く取り付けていなく、両側板、天板、底板の家具骨格構造体内に、嵌まり込む状態になって、家具前面から突出する部分、及び１ｍｍ程度の隙間を持っていなく、さらに引き出しと側面の一部の表面には、表装材を貼ったスチール箔を含んだ化粧板を使用した。【００２１】引き出しを持つチェストが備える引き出しの前板で、家具の隙間に、手の指を又は器具を差し込むことができない家具の表面状態になっているチェストであって、表面と側面と合わせた面積で約６０％の面積（前面と側面の一部）にボンド磁性シートを付着できるスチール箔を含む装飾性表装である化粧板を張り付けて、前記化粧板を張り付けた側板の一部に、引き出しを持つ箱型家具を開けるボンド磁性体を取り付けている用具を吸着させておいた。【００２２】ボンド磁性シートを付着できるスチール箔を含む装飾性表装材である化粧板は、表装材の表面には、０・１ｍｍの生地色から濃厚色、又は自然素材の木質の質感をもつ模様を施した紙体を貼って、磁気吸着力を持つ表面体内に５０μｍの厚さのスチール箔を含んでいる化粧板を使用した。【００２３】チェストにおける引き出しは、出し入れの駆動にローラー付きスライドレールを使用して、一個の引き出しの重量１０ｋｇ以内でのものであった。
家具の側面に引き出、開に戸を持つ箱型家具を開けるマグネットボンドを取り付けている用具は、１ｍｍの厚さの風景を写真をプリントした横５００、縦７００ｍｍのボンド磁性シートを貼りつけた。
【実施例２】
【００２４】図１Ｂに示すように、開き戸を持つ箱型家具において、前記開き戸の扉が、前板、及び扉には取手部を全く取り付けていなく、両側板、天板、底板の家具骨格構造内に嵌まり込む状態になって、家具前面から突出する部分、及び２ｍｍ以下の隙間で、開き戸の表面には、表装材を貼ったスチール箔を含んでいる化粧板を使用した。【００２５】開き戸を持つ箱型家具が備える扉や引き出しの前板で、手の指を家具の隙間、又は器具に差し込むことができない家具の表面状態になっているロッカーであって、表面と側面と合わせた面積で５０％にボンド磁性シートを付着できる装飾性表装材を張り付けて、前記化粧板を張り付けた側板の一部に、引き出、開に戸を持つ箱型家具を開けるボンド磁性体を取り付けている用具を吸着させておいた。【００２６】ボンド磁性シートを付着できるスチール箔を含んだ装飾性表装材である化粧板は、表装材の表面には、０・１ｍｍの自然素材の木質の質感をもつ模様を施した樹脂フイルムを貼って、磁気吸着力を持つ表面体内に５０μｍの厚さのスチール箔を含んでいる化粧板を使用した。【００２７】引き出しと開き戸を持つロッカーの箱型家具において、引き出しは、出し入れの駆動にローラー付きスライドレールを使用して、一個の引き出しの重量１０ｋｇ以内であり、開き戸は、軽量駆動の丁番と留め具を使用して、扉の重量として１０ｋｇ以内のものであった。【００２８】家具の側面に引き出、開に戸を持つ箱型家具を開けるマグネットボンドを取り付けている用具は、２ｍｍの厚さの  残留磁束密度（Ｂｒ）＝２ｋＧ，  保磁力（Ｈｃ）＝２ｋＯｅ、の磁力を持つボンド磁性シートを貼りつけた。
【符号の説明】
【００２９】１、開かない家具
２、引き出し
３、開き戸
４．表面
５、側面
６．スチール箔を含む化粧板
７．隙間、
８．取手
９、表装材
１０、側板
１１、天板
１２、底板（底台）
１３、ボンド磁性シート
１４、磁性体吸着用具
１５、スライドレール
１６、丁番
１７、留め具
１８、収納物